【事件の表示】
　平成　７年特許願第５１１０８８号「マルチメディアが可能とされたネットワーク」拒絶査定不服審判事件〔平成　７年　４月２０日国際公開、ＷＯ９５／１０９１７、平成　９年　５月２７日国内公表、特表平　９−５０５４４８〕について、次のとおり審決する。
【結　論】
　本件審判の請求は、成り立たない。
【理　由】
１．経緯
（１）手続
　本願は、１９９４年１０月１４日（パリ条約による優先権主張外国庁受理１９９３年１０月１４日、オーストラリア国）を国際出願日とする出願であって、平成１６年９月２日付けで拒絶査定がなされ、これに対し、平成１６年１２月１３日に拒絶査定に対する審判請求がなされるとともに、平成１７年１月１２日付けで手続補正がなされたものである。
　
（２）査定
　査定の理由は、概略、下記のとおりである。
　
　　　　　　　　　　　　　記（査定の理由）
　
（Ａ）本願の請求項１から５までに係る発明は、下記刊行物に記載された発明に基いて、当業者が容易に発明をすることができたものであるから、特許法第２９条第２項の規定により特許を受けることができない。
　
　　　　　　　　　　　　　　記（刊行物）
（ａ）特開平０５−１１０６９５号公報
（ｂ）特開平０３−０１４３５４号公報
（ｃ）P.Venkat Rangan, Daniel C. Swinehart, “Software Architecture for Integration of Video Service in the Etherphone System”，IEEE JOURNAL ON SELECTED AREAS IN COMMUNICATIONS，米国，IEEE，１９９１年１２月，Vol.９， No.９，pp.１３９５−１４０４
　
（Ｂ）この出願は、特許請求の範囲の記載が不明確であり、特許法第３６条第５項第２号及び第６項に規定する要件を満たしていない。
　
（Ｃ）この出願は、明細書及び図面の記載が不明確であり、特許法第３６条第４項に規定する要件を満たしていない。
　
２．本願発明
　本願の請求項１から４までに係る各発明は、本願明細書及び図面（平成１７年１月１２日付けの手続補正書により補正された明細書及び図面）の記載からみて、それぞれ、その特許請求の範囲の請求項１から請求項４までに記載したとおりの「選択的分配システム」であると認められるところ、そのうち、請求項１に係る発明（以下、本願発明という）は次のとおりである。
　
「ビデオ及びオーディオデータ、及びそれ等ビディオ及びオーディオデータのための制御信号、更に他のデータをとり扱い、複数のユーザ・ターミナルを含むネットワーク内における選択的分配システムであって、
　上記他のデータと制御信号は第１のディジタルネットワークで搬送され、上記ビデオ及びオーディオデータは物理的に異った第２のアナログケーブルネットワークで送信され、その際上記ユーザ・ターミナルの各々は、上記第２のネットワークを介して受信されたデータ、及び上記第１のネットワークで受信されたデータ又は上記ユーザ・ターミナル内で発生されたデータ、を表示するように構成された表示手段を含み、かつ上記ユーザ・ターミナルは第１と第２のネットワークの両方に接続されており、上記ユーザ・ターミナルは、ユーザ・ターミナルに共有されるが占有されないスイッチング・ノード群を介して上記第２のネットワークに接続され、
　前記ユーザ・ターミナルとスイッチングノード群は、前記第１ネットワークを搬送される制御信号に応答することを特徴とする、
　ネットワーク内における選択的分配システム。」
　
３．当審の判断
（１）刊行物の記載
　原査定において引用された上記刊行物（ｃ）（以下、引用例という）には、図面とともに以下の記載がある。
　
（Ａ）“We have extended the Etherphone voice management system at Xerox PARC to support video conferencing and file storage.”（１３９５ページ左欄７いし９行）
　
（Ｂ）“While real-time digital transmission and storage of video will have to wait a few more years for very high capacity networks and storage devices to become pervasive, （中略）. In this paper, we make use of analog transmission and storage of video, but develop high-level software control mechanisms for video communication and file access, thereby taking us a step closer to multimedia computer systems.”（１３９５ページ左欄３３行ないし４２行）
　
（Ｃ）“The analog video system consists of video cameras and monitors, write-once optical disks, and video multiplexors connected to a matrix switch that is controllable through a workstation (see Fig. 1). We augmented the Earthphone voice management software [20] to integrate the control of analog video devices.”（１３９６ページ左欄５１行ないし５７行）
　
（Ｄ）“The software structure of the video conferencing system is object-oriented, and it mainly consists of a Connection Manager at its core, and the following two software Agents on each user’s workstation (see Fig. 2):
・Finch, which provides a window-based user interface for creating and joining conferences, and
・Macaw, which manages the user’s video devices such as his cameras and monitors.
A media driver running on a Sun workstation drives the matrix switch and the video multiplexors. 
　1)Connection Manager: The connection manager controls the establishment, progress, and termination of conferences. ”（１３９７ページ左欄１１行ないし２３行）
　
（Ｅ）“In our video conferencing system, each user has two agents, namely Finch and Macaw. Finch manages the user interface on the workstation. Fig.3 shows a typical Finch window. To establish a video conference, a user enters the names of the recipients at the “Called Party” field in Finch, and clicks the “Phone” button. Finch prompts (in a subwindow that it creates) the caller to enter options such as “video/audio in /out.” Recipients are informed of the invitation to join the conference in the bottom portion of the window. To become a participant, a recipient selects the conference name, and clicks the “Answer” button. Participants leave a conference by clicking “Disconnect.””（１３９７ページ左欄４９行ないし右欄４行）
　
（Ｆ）“Fig.3 User interface to the video conferencing system. The live video is displayed on a separate monitor, but the system also allows individual video frames to be captured and displayed within the workstation window system, as shown here.”（１３９７ページ第３図）
　
（Ｇ）“It should be noted that the transmission of video is analog in nature, and hence issues of real-time data transport protocols do not arise.”（１３９８ページ左欄１０行ないし１２行）
　
　上記各記載（Ａ）ないし（Ｆ）によれば、引用例には、図面とともに次のことが記載されていると認められる。
　
（ａ）上記記載（Ａ）より、
　ビデオ会議及びファイル記録を行うべくXerox　PARCのEtherphone音声管理システムを拡張した。
　
（ｂ）上記記載（Ｂ）より、
　ビデオの実時間によるデジタル伝送及び記録には、高容量ネットワーク及び記録デバイスが普及するまでもう数年待たなければならないが、（中略）本論文においては、ビデオのアナログ伝送及び記録を使用しつつも、ビデオの通信及びファイルへのアクセスのためのハイレベルなソフトウエア制御メカニズムを開発し、もってマルチメディア・コンピュータ・システムに一歩近づいた。
　
（ｃ）上記記載（Ｃ）及び図１より、
　アナログ・ビデオ・システムは、ビデオカメラ、モニター、ライトワンス光ディスク及び（Sun）ワークステーションを通じて制御可能なマトリックス・スイッチに接続されたビデオ・マルチプレクサからなる（図１参照）。アナログ・ビデオ・デバイスの制御を統合するためにEtherphone音声管理ソフトウエア［２０］を拡張した。
　
（ｄ）上記記載（Ｄ）及び図２より、
　ビデオ会議システムのソフトウエア構造は目的指向であり、主として、核となる“Connection Manager”及び各ユーザ・ワークステーション（“Dorado workstation”）上の以下２つのソフトウエアである“Agents”からなる（図２参照）：
“Finch”、会議を創設し参加するためのウインドウ・ベースのユーザ・インターフェイスを提供する。
“Macaw”、カメラやモニターのようなユーザのビデオ・デバイスを管理する。
　Sunワークステーション上のメディア・ドライバーは、マトリックス・スイッチ及びビデオ・マルチプレクサを動作させる。
 1)Connection Manager：　Connection Managerは、会議の開設、進行、終了を管理する。
　
（ｅ）上記記載（Ｅ）及び図３より、
　ビデオ会議システムにおいて、各ユーザは、Finch及びMacawという２つのエージェントを有する。Finchは、ワークステーション上のユーザ・インターフェイスを管理する。図３は典型的なFinchウインドウを表す。ビデオ会議を開設するために、ユーザはFinch内の“Called Party”領域で受け手の名前を入力し、“Phone”ボタンをクリックする。Finchは、（作成したサブウインドウ内で）会議の招集者に“video/audio in/out”のようなオプションを入力するよう促す。受け手は、ウインドウのボタン部分の中で会議参加の招待を受け取る。会議参加者になるためには、受け手は会議名を選択して“Answer”ボタンをクリックする。会議参加者は、“Disconnect”ボタンをクリックすることで会議から抜ける。
　
（ｆ）上記記載（Ｆ）及び図３より、
　図３．ビデオ会議システムのユーザ・インターフェイス。生（ライヴ）のビデオは独立したモニター上に表示されるが、図３に示すように、同システムは、個々のビデオをワークステーションのウインドウ・システム内に取り込んで表示することもできる。
　
（ｇ）上記記載（Ｇ）より、
　ビデオの伝送は、本質的にアナログであり、よって実時間データ転送プロトコルの問題は生じないことに留意すべきである。
　
（２）対比
　　本願発明と引用例に記載された発明（以下、「引用発明」という。）とを対比する。
　
（ア）引用例の上記記載（ａ）、（ｃ）、（ｄ）、（ｅ）、図１及び図２によれば、引用発明の「ビデオ会議システム」は、アナログ・ビデオ・システムとXerox　PARCのEtherphone音声管理システムとを組み合わせることによって構成され、アナログ・ビデオ・デバイスの制御も行えるよう拡張されたEtherphone音声管理ソフトウエアによってビデオ及びオーディオデータをネットワーク内の各ユーザに選択的に分配するものである。そして、上記拡張されたEtherphone音声管理ソフトウエアは、主として、会議の開設、進行、終了を管理するソフトウエアである“Connection Manager”、ユーザのビデオ・デバイスを管理するソフトウエアである“Macaw”、会議を創設し参加するためのウインドウ・ベースのユーザ・インターフェイスを提供するソフトウエアである“Finch”からなっている。
　したがって、引用発明の「拡張されたEtherphone音声管理ソフトウエア」は、オーディオデータ、ビデオのための制御信号、オーディオデータのための制御信号及び他のデータを扱っているということができ、引用発明の「ユーザ・ワークステーション（“Dorado workstation”）」は、本願発明の「ユーザ・ターミナル」に相当するから、引用発明の「ビデオ会議システム」は、本願発明の「ビデオ及びオーディオデータ、及びそれ等ビディオ及びオーディオデータのための制御信号、更に他のデータをとり扱い、複数のユーザ・ターミナルを含むネットワーク内における選択的分配システム」に相当するといえる。
　
　また、上記「拡張されたEtherphone音声管理ソフトウエア」が扱う各データはデジタルデータであると認められ、これらのデータは複数の「ユーザ・ワークステーション（“Dorado workstation”）」、 “Connection Manager”のための「CM Server」及び「Sunワークステーション」を結ぶネットワーク内で搬送されているから、引用発明においても「他のデータと制御信号は第１のデジタルネットワークで搬送」されるといえる。
　
（イ）一方、引用例の上記記載（ｃ）、（ｇ）及び第１図によれば、引用例発明のビデオの伝送はアナログであり、引用発明のビデオカメラ、モニター及びビデオ・マルチプレクサを結ぶネットワークは、本願発明の「物理的に異った第２のアナログケーブルネットワーク」に相当するから、引用例発明においては「ビデオは物理的に異った第２のアナログケーブルネットワークで送信」されるといえる。
　もっとも、オーディオデータは、引用発明においては第１のデジタルネットワークで送信されると認められるのに対し、本願発明では「物理的に異った第２のアナログケーブルネットワーク」で送信される。
　
（ウ）引用例の上記記載（ｄ）、（ｅ）、（ｆ）、第１図及び第３図によれば、引用発明の「ユーザ・ワークステーション」は表示手段を含み、上記表示手段は“Finch”によってウインドウ上に会議を創設し参加するためのボタンを表示するとともに、第３図のように個々のビデオをウインドウ・システム内に取り込んで表示することもできる。
　引用発明の「ビデオ」、「“Finch”によってウインドウ上に表示されるデータ」は、それぞれ本願発明の「第２のネットワークを介して受信されたデータ」、「第１のネットワークで受信されたデータ又はユーザ・ターミナル内で発生されたデータ」に対応し、引用発明の「ユーザ・ワークステーション」も「上記第２のネットワークを介して受信されたデータ、及び上記第１のネットワークで受信されたデータ又は上記ユーザ・ターミナル内で発生されたデータ、を表示するように構成された表示手段を含」むといえる。
　
　また、引用発明の「ユーザ・ワークステーション」は、「複数のユーザ・ワークステーション（“Dorado workstation”）、 “Connection Manager”のためのCM Server及びSunワークステーションを結ぶネットワーク」及び「ビデオカメラ、モニター及びビデオ・マルチプレクサとを結ぶネットワーク」の両方に接続されている。そして、各「ユーザ・ワークステーション」は「ビデオ・マルチプレクサ」　を介して他の「ユーザ・ワークステーション」に接続されており、上記「ビデオ・マルチプレクサ」　は、Sunワークステーションを通じて制御可能なマトリックス・スイッチによって各ユーザにビデオを選択的に分配している。
　したがって、引用発明の「ビデオ・マルチプレクサ」は本願発明の「スイッチング・ノード群」に対応し、引用発明の「ユーザ・ワークステーション」も「第１と第２のネットワークの両方に接続されており、上記ユーザ・ターミナルに共有されるが占有されないスイッチング・ノード群を介して上記第２のネットワークに接続され」ているといえる。
　
（エ）引用例の上記記載（ｃ）、（ｄ）、（ｅ）、第１図及び第２図によれば、CM Server上の“Connection Manager”と各ユーザ・ワークステーション上の“Macaw”及び“Finch”とが協働してビデオ会議システムが動作し、Sunワークステーション上のメディア・ドライバーにより、マトリックス・スイッチ及びビデオ・マルチプレクサが動作するのであるから、引用発明においても「前記ユーザ・ターミナルとスイッチングノード群は、前記第１ネットワークを搬送される制御信号に応答する」といえる。
　
（３）一致点・相違点
　本願発明と引用発明との一致点および相違点は下記の通りである。
　
　　　　　　　　　　　　　　　　記（一致点）
　
　ビデオ及びオーディオデータ、及びそれ等ビディオ及びオーディオデータのための制御信号、更に他のデータをとり扱い、複数のユーザ・ターミナルを含むネットワーク内における選択的分配システムであって、
　上記他のデータと制御信号は第１のディジタルネットワークで搬送され、上記ビデオは物理的に異った第２のアナログケーブルネットワークで送信され、その際上記ユーザ・ターミナルの各々は、上記第２のネットワークを介して受信されたデータ、及び上記第１のネットワークで受信されたデータ又は上記ユーザ・ターミナル内で発生されたデータ、を表示するように構成された表示手段を含み、かつ上記ユーザ・ターミナルは第１と第２のネットワークの両方に接続されており、上記ユーザ・ターミナルは、ユーザ・ターミナルに共有されるが占有されないスイッチング・ノード群を介して上記第２のネットワークに接続され、
　前記ユーザ・ターミナルとスイッチングノード群は、前記第１ネットワークを搬送される制御信号に応答することを特徴とする、
　ネットワーク内における選択的分配システム。
　
　　　　　　　　　　　　　　　　記（相違点）
　
　本願発明では、「オーディオデータ」は「第２のアナログケーブルネットワーク」で送信されるのに対し、引用発明では、「オーディオデータ」が「第１のディジタルネットワーク」で送信される点。
　
（４）相違点の判断
　そこで、上記相違点について判断する。
　
　引用発明においては、ビデオをデジタル伝送するには高容量のネットワークが必要であることから、ビデオはアナログで送ることとしている（上記引用例の記載（ｂ）参照）。すなわち、ビデオをデジタル化した場合の情報量はオーディオデータをデジタル化した場合の情報量に比べて遙かに大きいことから、技術的な制約上、ビデオだけはアナログ伝送路で送るようにしたものである。
　ところで、そもそもビデオ会議システムはアナログ伝送路を用いたものからデジタル伝送路を用いたものへと発展してきた技術であり（例えば、社団法人テレビジョン学会編、「テレビジョン・画像情報工学ハンドブック」、第１版、オーム社、１９９０年１１月３０日、ｐ９７６参照）、ビデオ会議用のビデオとオーディオデータとを同一のアナログ伝送路で伝送することは周知技術である（同文献ｐ９８９、[４]ビデオＰＢＸ及び図１５．４３参照）。
　そうすると、引用発明において、オーディオデータを第２のアナログケーブルネットワークで送信するよう変更することは、当業者が容易になし得ることにすぎない。
　
　また、本願発明の効果についても、上記引用発明及び周知技術を参酌することにより、当業者が予測できる範囲のものである。
　
（５）小括
　以上のとおり、請求項１に係る発明は、引用例に記載された発明及び周知技術に基づいて当業者が容易に発明をすることができたものである。
　
４．むすび
　以上、請求項１に係る発明は、引用例に記載された発明及び周知技術に基づいて当業者が容易に発明をすることができたものであるから、特許法第２９条第２項の規定により特許を受けることができない。
　したがって、残る理由（Ａ）の請求項２から請求項４までに係る部分、理由（Ｂ）及び理由（Ｃ）について特に検討するまでもなく、本願は拒絶すべきものである。
　よって、結論のとおり審決する。